(57)【要約】      （修正有）【課題】全指先が解放されていながら、親指、人差指及び中指から選択された２つの指の協働によって、携帯電話機を操作したり、薄物或いは微小物を掴んだりする操作を容易にした指先解放型手袋を提供する。【解決手段】５本の全指の指先が解放された状態で通される複数の指通し部を備えた指先解放型手袋であって、前記複数の指通し部は、親指Ｔを通す第１指通し部１と、人差指Ｆを通す第２指通し部２と、中指Ｍを通す第３指通し部３と、薬指及び小指をまとめて通す第４指通し部４との４つの部分に分離されて形成された構成とする。【選択図】図５
0003162615.tif 000002
【実用新案登録請求の範囲】
【請求項１】
５本の全指の指先が解放された状態で通される複数の指通し部を備えた指先解放型手袋であって、
前記複数の指通し部は、親指を通す第１指通し部と、人差指を通す第２指通し部と、中指を通す第３指通し部と、薬指及び小指をまとめて通す第４指通し部との４つの部分に分離されて形成されていることを特徴とする指先解放型手袋。
【請求項２】
横編機で全体が一連に編成されて、編成後に縫製部が存在していない無縫製構造であることを特徴とする請求項１に記載の指先解放型手袋。
【請求項３】
全体が編成糸のみで編成されて、各開口端部は、外側に廻り込んでカール状態となっていることを特徴とする請求項２に記載の指先解放型手袋。
【考案の詳細な説明】
【技術分野】
【０００１】
本考案は、５本の全指の指先が解放された状態で通される複数の指通し部を備えた指先解放型手袋に関するものである。
【背景技術】
【０００２】
指先解放型の手袋は、人の指先の接触感覚、或いは微妙な操作性を確保するために、通常の手袋の指通し部の先端部を欠落させて、着用状態のままで人の各指先が解放された状態で使用可能な手袋であって、用途に応じて種々の構造のものが考案されている。
【０００３】
例えば、指先解放型の手袋としては、親指と当該親指を除く４本の指がまとめて通される計２つの指通し部を備えた構造の手袋（特許文献１）、親指と、人差指及び中指の２本の指、薬指及び小指の２本の指をそれぞれ通す計３つの指通し部を備えた三叉構造の手袋（特許文献２）等が知られている。
【０００４】
一般的に、５本の指は、それぞれ独自の機能を有していて、掴んだり、或いは接触したりする対象物に応じて、それぞれ選択して使用されるが、特に、掴む対象物が薄かったり、或いは指先に比較して小さい場合には、親指と人差指とを協働させることにより、微妙な操作を可能にしている。逆に、中指、薬指及び小指の３本の指は、大きな対象物を掴んだり、或いは大きな把持力を確保するために、対象物をしっかり掴んだりする場合に、親指及び人差指と一緒に使用されることが多く、キーボードを叩いたり、軽く対象物に触れる等の場合を除いて単独で使用されることは少ない。
【０００５】
また、プッシュボタン式の携帯電話機が相当に普及しており、更に近時では、コンピュータの機能を備えたタッチパネル式の携帯電話機が使用され始めている。ところが、特許文献１，２に記載の各手袋は、中指及び人差指の独立した自由な操作性が十分に確保されていないので、指先が解放されてはいるが、手袋を着用したままで、上記した各携帯電話機の微妙な操作を行うことに対しては、十分とは言えない。
【先行技術文献】
【特許文献】
【０００６】
【特許文献１】実用新案登録第３０７４４５４号公報
【特許文献２】実開平３−９６３１１号公報
【考案の概要】
【考案が解決しようとする課題】
【０００７】
本考案は、全指先が解放されていながら、親指と人差指との協働によって、携帯電話機を操作したり、或いは薄物、又は微小物を掴んだりする操作を容易にした指先解放型手袋の提供を課題としている。
【課題を解決するための手段】
【０００８】
上記課題を解決するための請求項１の考案は、５本の全指の指先が解放された状態で通される複数の指通し部を備えた指先解放型手袋であって、前記複数の指通し部は、親指を通す第１指通し部と、人差指を通す第２指通し部と、中指を通す第３指通し部と、薬指及び小指をまとめて通す第４指通し部との４つの部分に分離されて形成されていることを特徴としている。
【０００９】
請求項１の考案によれば、手袋を着用した状態で、親指、人差指及び中指は、それぞれ独立した第１ないし第３の各指通し部に挿通されていて、隣接する他の指と直接に接触しないので、手袋を着用したままで、プッシュボタン式の携帯電話機のボタン操作、或いはタッチパネル式の携帯電話機を一方の手の各指でしっかり支えて、他方の手の人差指によるパネルタッチ操作を、手袋を着用していない状態とほぼ同様の状態、或いは感覚で行える。また、新聞、本等のページを捲る操作、財布に対するカード類、紙幣の出し入れの操作、微小物を掴む操作等の親指と人差指或いは中指との協働で行う微妙な操作を、手袋を着用していない場合と同様の状態、或いは感覚で行える。ここで、親指を除く４本の指の全てが一つの指通し部に通される構造、或いは人差指と中指が一つの指通し部に通される構造の手袋では、人差指を独立させて動かすのに、同一の指通し部に通された他の指が隣接しているために、上記した親指と人差指との協働で行う微妙な操作がしずらいのとは異なる。
【００１０】
また、薬指及び小指の２本の指は、独立して、或いは他の指と協働して操作することが比較的少ないために、第４指通し部にまとめて通しても、支障が少ない。また、携帯電話機を操作したり、或いは新聞、本等のページを捲る等の場合に使用される親指、人差指及び中指は、いずれも独立した第１〜第３の各指通し部に挿通されていて、独立して使用されることの少ない薬指及び小指は、まとめて第４指通し部に挿通されて、指通し部の数は、人の指の数よりも１つだけ少なくなっていて人目につき易いため、この点においてファッション性も兼ね備えている。
【００１１】
請求項２の考案は、請求項１の考案において、横編機で全体が一連に編成されて、編成後に縫製部が存在していない無縫製構造であることを特徴としているため、手袋を着用した場合に、縫製部である縫い目が手の甲又は掌に直接に接触して生ずる「ごわごわ感」、「圧迫感」がなくなって、「フィット感（着用感）」が高まる。
【００１２】
請求項３の考案は、請求項２の考案において、全体が編成糸のみで編成されて、各開口端部は、外側に廻り込んでカール状態となっていることを特徴としている。即ち、手袋の各開口に近い部分にゴム糸が編み込まれていないため、各開口端部を編成する編糸は、外側に廻り込んでカール状態となって、手袋に対する手の挿入がスムーズになると共に、ファッション性も高められる。
【考案の効果】
【００１３】
本考案に係る指先解放型手袋は、５本の全指の指先が解放された状態で通される複数の指通し部を備えた指先解放型手袋であって、前記複数の指通し部は、親指を通す第１指通し部と、人差指を通す第２指通し部と、中指を通す第３指通し部と、薬指及び小指を通す第４指通し部との４つの部分に分離されて形成されているので、親指、人差指及び中指は、それぞれ独立した第１ないし第３の各指通し部に挿通されていて、隣接する他の指と直接に接触しないので、手袋を着用したままで、プッシュボタン式の携帯電話機のボタン操作、或いはタッチパネル式の携帯電話機を一方の手の各指でしっかり支えて、他方の手の人差指によりパネルタッチ操作を、手袋を着用していない状態とほぼ同様の状態、或いは感覚で行える。
【図面の簡単な説明】
【００１４】
【図１】本考案に係る指先解放型手袋Ｇの着用状態の斜視図である。
【図２】本考案に係る指先解放型手袋Ｇの非着用状態の正面図である。
【図３】同じく着用状態の正面図である。
【図４】（ａ），（ｂ）は、それぞれ図３のＸ−Ｘ線及びＹ−Ｙ線の各断面図である。
【図５】本考案に係る指先解放型手袋Ｇを着用した状態で、携帯電話機Ａ1 のプッシュボタンＢを操作している状態の斜視図である。
【図６】同様の状態で、一方の手でタッチパネル式の携帯電話機Ａ2 を支えて、他方の手の人差指でタッチパネルを操作している状態の斜視図である。
【考案を実施するための形態】
【００１５】
以下、最初に、図１ないし図４を参照して、本考案に係る指先解放型手袋Ｇについて説明する。図１は、本考案に係る指先解放型手袋Ｇの着用状態の斜視図であり、図２は、本考案に係る指先解放型手袋Ｇの非着用状態の正面図であり、図３は、同じく着用状態の正面図であり、図４（ａ），（ｂ）は、それぞれ図３のＸ−Ｘ線及びＹ−Ｙ線の各断面図である。本考案に係る指先解放型手袋Ｇは、指通し部として、親指Ｔが挿入される第１指通し部１と、人差指Ｆが挿入される第２指通し部２と、中指Ｍが挿入される第３指通し部３と、薬指Ｒ及び小指Ｌの２本の各指がまとめて挿入される第４指通し部４との４つの部分が独立分離して形成されている構造に特徴を有する。図２に示されるように、指先解放型手袋Ｇの非着用時の全体形状は、第２ないし第４の各指通し部２，３，４の開口端から手首及び腕通し部５の開口端に至るまで、幅が一定して、重ね合わせ状態において長方形状をしていると共に、立体状態において筒状をなしている。第２ないし第４の指通し部２，３，４と、手首及び腕通し部５との接続部が、人の手の掌部２１及び甲部（図示せず）を覆う本体部６となっている。従って、手袋Ｇの全体形状は、筒状体を二枚重ねにした長方形体の指通し部の側の端部に第２及び第３の各指通し部２，３を形成する切込み部１１，１２がそれぞれ形成され、前記長方形体の長辺における指通し部の側に近い部分に第１指通し部１が、斜め方向に延出された形状となっている。なお、第１ないし第３の各指通し部１，２，３の開口端１ａ，２ａ，３ａの親指Ｔ、人差指Ｆ及び中指Ｍに対する位置に関しては、親指Ｔ、人差指Ｆ及び中指Ｍの微妙な操作を可能にする観点からすると、いずれも開口端１ａ，２ａ，３ａが第１関節（親指Ｔでは単一の関節）に臨む程度が好ましい。なお、図２において、４ａは、薬指Ｒ及び小指Ｌがまとめて挿入される第４指通し部４の端面を示す。
【００１６】
本考案に係る指先解放型手袋Ｇは、編成糸である「１／７サイズ」のタクテルモール糸（登録商標）を、株式会社島精機製作所製の無縫製形式の横編機（型式：ＳＷＧ０４１Ｎ）を用いて編成したものである。このため、編成された手袋Ｇには、縫製部が存在しておらず、この結果、手袋Ｇを着用した場合において、縫製部である縫い目が手の掌部又は甲部に直接接触して生ずる不快な「ごわごわ感」又は「圧迫感」がなくて、「着用感（フィット感）」が高められる利点がある。また、タクテルモール糸（登録商標）は、肌触り感覚が良好であると共に、防寒性能も高いので、手袋の編成糸として好適である。
【００１７】
また、手首及び腕通し部５を含めて手袋Ｇの全体が前記タクテルモール糸（登録商標）で編成されていて、当該手首及び腕通し部５の開口側の端部には、ゴム糸は編み込まれておらず、編成糸のみによって幅方向の伸縮性を確保している。このため、図３及び図４（ｂ）に示されるように、手首及び腕通し部５の開口端５ａ及び第１〜第４の各指通し部１〜４の各開口端１ａ〜４ａは、編成糸が外側に廻り込んでカールした状態となっている。この「編成糸のカール状態」は、開口幅が大きい程、顕著に現れるため、手首及び腕通し部５において最も大きく、次いで、第４指通し部４となり、第１ないし第３の各指通し部１，２，３は、ほぼ同等となるが、第１ないし第３の各指通し部１，２，３におけるカール状態は、僅かである。各開口端のカール状態のうち、手首及び腕通し部５の開口端５ａのカール状態は、手袋に対する手の挿入をスムーズにすると共に、全ての開口端のカール状態は、手袋としてのファッション性を高める。なお、図３及び図４（ｂ）において、２２，２３は、それぞれ人の手首部、及び腕部を示す。
【００１８】
本考案に係る指先解放型手袋Ｇの指通し部は、上記したように、親指Ｔが挿入される第１指通し部１と、人差指Ｆが挿入される第２指通し部２と、中指Ｍが挿入される第３指通し部３と、薬指Ｒ及び小指Ｌの２本の指がまとめて挿入される第４指通し部４との４つの部分が独立分離して形成されていて、人差指Ｆ及び中指Ｍは、薬指Ｒ及び小指Ｌの２本の各指を通す第４指通し部４とは、分離独立した第２及び第３の各指通し部２，３に通されるために、人差指Ｆ及び中指Ｍの独立操作がし易くなって、手袋Ｇを着用したままで、親指Ｔ、人差指Ｆ及び中指Ｍとから選択された２本の指が協働して行う微妙な操作を、手袋Ｇを着用していない場合と同様の状態又は感覚で行える。ここで、親指を除く４本の指の全てが一つの指通し部に通される構造、或いは人差指と中指が一つの指通し部に通される構造の手袋では、人差指及び中指を独立させて動かすのに、同一の指通し部に通された他の指が隣接しているために、上記した親指、人差指及び中指から選択された２本の指の協働で行う微妙な操作がしずらいのとは異なる。
【００１９】
例えば、図５に示されるように、手袋Ｇを着用したままの手で、プッシュボタン式の携帯電話機Ａ1 の本体３１の裏側に人差指Ｆ、中指Ｍ及び残りの２本の指Ｒ，Ｌを配置して、当該本体３１を支えた状態で、親指Ｔの指先によりプッシュボタンＢを操作する際に、人差指Ｆ及び中指Ｍを薬指Ｒ及び小指Ｌと分離して配置可能となるので、携帯電話機Ａ1 の本体３１の支持状態が安定して、親指ＴによるプッシュボタンＢのプッシュ操作を安定して行える。
【００２０】
また、図６に示されるように、手袋Ｇを着用したままで、タッチパネル式の携帯電話機Ａ2 の本体３２の裏側に、一方の手の人差指Ｆ、中指Ｍ及び残りの２本の指Ｒ，Ｌを配置すると共に、親指Ｔを前記本体３２の側面に配置して、当該一方の手で前記本体３２をしっかりと支えた状態で、他方の手の親指Ｔにより当該本体３２のパネルをタッチして操作できる。携帯電話機Ａ2 の本体３２を裏側から支える人差指Ｆ及び中指Ｍは、いずれも独立した第２及び第３の各指通し部２，３に挿入されていて、指通し部内で隣接する別の指と接触しないので、各指Ｆ，Ｍを手袋Ｇを着用していない状態とほぼ同様の状態、或いは感覚で指操作を行える。
【００２１】
プッシュボタン式、タッチパネル式のいずれの携帯電話機Ａ1 ，Ａ2 を操作する場合でも、両手に手袋Ｇを着用したまま操作でき、人の指の数よりも一つだけ少ない数の指通し部１〜４を有していることがファッション性を発揮すると共に、この手袋を着したままの操作そのものもファッション性を発揮する。
【００２２】
また、カードケースからカードを抜き出す場合において、親指と人差指とで当該カードの縁部を掴んで抜き出すのであるが、親指と人差指とによる当該カードの縁部を掴む操作は、手袋を装着していない状態と同様の感覚で行えるので、滑る等して抜き出し、或いは再挿入の操作をし損じることがない。更に、電車、バス等に乗車中において、手袋を着用したままで、新聞、本等のページを捲る操作を、手袋を着用していない場合と同様の感覚で行えるため、いちいち手袋を外す必要がなくなって便利である。
【００２３】
一方、薬指Ｒ及び小指Ｌは、独立して、或いは他の指と協働して操作することが比較的少ないために、全体が一つの第４指通し部４にまとめて通しても、比較的支障が少なく、しかも２本の指Ｒ，Ｌはまとめて一つの第４指通し部４に通されるために、第４指通し部４に対して２本の指Ｒ，Ｌがスムーズに通されて、手袋の着用も容易となる。
【符号の説明】
【００２４】
Ｆ：人差指
Ｇ：指先解放型手袋
Ｌ：小指
Ｍ：中指
Ｒ：薬指
Ｔ：親指
１：第１指通し部
１ａ〜４ａ：指通し部の開口端
２：第２指通し部
３：第３指通し部
４：第４指通し部
５：手首及び腕通し部
５ａ：手首及び腕通し部の開口端
６：本体部
【図１】
0003162615.tif 000003
【図２】
0003162615.tif 000004
【図３】
0003162615.tif 000005
【図４】
0003162615.tif 000006
【図５】
0003162615.tif 000007
【図６】
0003162615.tif 000008